【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
平面伝送線路および導波管の間に接続する広帯域変換器であって、
上下に積層され、かつ、絶縁材料で分離された複数の導電層を含む基板と、
前記複数の導電層のうち最上層の導電層に配置された前記平面伝送線路のセグメントと、
前記複数の導電層のうち最下層の導電層に一端が配置された前記導波管の一部分と
を具備し、
前記基板は、
前記最上層の導電層に配置されて前記セグメントの一端に接続された導電パッチと、
前記最上層の導電層に配置されて前記セグメントおよび導電パッチの集合を囲う最上層のグランドプレーンと、
前記最上層の導電層に配置されて、かつ、前記最上層のグランドプレーンと、前記セグメントおよび前記導電パッチの前記集合との間に配置された絶縁スリットと、
前記最下層の導電層に配置されて、かつ、前記導電パッチの下方に配置された導電拡散板と、
前記最下層の導電層に配置されて前記導電拡散板を囲う最下層グランドプレーンと、
前記最下層の導電層に配置されて、かつ、前記導電拡散板および前記最下層グランドプレーンの間に配置された分離スリットと、
前記基板を前記積層の方向に前記最上層の導電層から前記最下層の導電層まで貫通し、かつ、前記導電パッチ、前記セグメント、前記絶縁スリット、前記導電拡散板および前記分離スリットを囲うように配置されて、かつ、前記最上層のグランドプレーンおよび前記最下層のグランドプレーンに接続された複数のグランドヴィアと
を具備し、
前記導電拡散板は、
波型形状
を有し、
前記分離スリットは、前記導波管の前記一端の開口の内側に配置されており、
前記セグメントの他端は、前記広帯域変換器の第１端子であって、
前記導波管の一部分の他端は、前記広帯域変換器の第２端子である
広帯域変換器。
【請求項２】
請求項１に記載の広帯域変換器において、
前記複数の導電層は、
前記最上層の導電層および前記最下層の導電層の間に配置された中間層の導電層
をさらに具備し、
前記基板は、
前記中間層の導電層に配置された他の導電拡散板と、
前記中間層の導電層に配置されて前記他の導電拡散板を囲う中間層のグランドプレーンと、
前記中間層の導電層に配置されて、かつ、前記他の導電拡散板および前記中間層のグランドプレーンの間に配置された他の分離スリットと
をさらに具備する
広帯域変換器。
【請求項３】
請求項１または２に記載の広帯域変換器において、
前記複数の導電層は、
前記最上層の導電層および前記最下層の導電層の間に配置された他の中間層の導電層
をさらに具備し、
前記基板は、
前記分離スリットと同じ外周サイズを有し、前記他の中間層の導電層に配置されて、かつ、前記分離スリット及び前記導電拡散板の集合の上方に配置された結合開口と、
前記他の中間層の導電層に配置されて前記結合開口を囲い、かつ、前記複数のグランドヴィアに接続されている他の中間層のグランドプレーンと
をさらに具備する
広帯域変換器。
【請求項４】
請求項１〜３の何れか一項に記載の広帯域変換器において、
前記導波管の一部分は、矩形の形状を有し、
前記導電拡散板は、矩形の包絡線形状を有し、
前記波型形状は、
同じ長さを有する複数の矩形の凸部
を具備する
広帯域変換器。
【請求項５】
請求項１〜３の何れか一項に記載の広帯域変換器において、
前記導波管の一部分は、矩形の形状を有し、
前記導電拡散板は、矩形の包絡線形状を有し、
前記波型形状は、
複数の台形の凸部
を具備する
広帯域変換器。
【請求項６】
請求項１〜３の何れか一項に記載の広帯域変換器において、
前記導波管の一部分は、矩形の形状を有し、
前記導電拡散板は、矩形の包絡線形状を有し、
前記波型形状は、
異なる長さを有する複数の矩形の凸部
を具備する
広帯域変換器。
【請求項７】
請求項１〜３の何れか一項に記載の広帯域変換器において、
前記導波管の一部分は、円形の形状を有し、
前記導電拡散板は、円形の包絡線形状を有する
広帯域変換器。
【請求項８】
請求項２または３に記載の広帯域変換器において、
前記導波管の一部分は、矩形の形状を有し、
前記導電拡散板は、矩形の包絡線形状を有し、
前記波型形状は、
複数の矩形の凸部
を具備し、
前記他の導電拡散板は、矩形の形状を有する
広帯域変換器。
【請求項９】
請求項２または３に記載の広帯域変換器において、
前記導波管の一部分は、矩形の形状を有し、
前記導電拡散板は、矩形の包絡線形状を有し、
前記波型形状は、
複数の矩形の凸部
を具備し、
前記他の導電拡散板は、矩形の形状を有し、凸部が矩形の波型形状を具備する
広帯域変換器。
【請求項１０】
請求項２または３に記載の広帯域変換器において、
前記導波管の一部分は、矩形の形状を有し、
前記導電拡散板は、矩形の包絡線形状を有し、
前記波型形状は、
同じ長さを有する複数の矩形の凸部
を具備し、
前記他の導電拡散板は、矩形の形状を有し、凸部が同じ長さで異なる幅の矩形の波型形状を具備する
広帯域変換器。
【手続補正２】
【補正対象書類名】明細書
【補正対象項目名】００２０
【補正方法】変更
【補正の内容】
【００２０】
図１Ａに示した、第１の導電層１Ｌ１の層状導電体１０６は、基板の上面に配置されており、第１の、または、最上層の層状導電体１０６と呼ばれる。第１の導電層１Ｌ１は、さらに、導電パッチ１０１と、絶縁スリット１０２と、平面伝送線路１０５のセグメントとを含んでいる。平面伝送線路１０５のセグメントの一端は、導電パッチ１０１に接続されている。絶縁スリット１０２は、導電パッチ１０１と、伝送線路１０５のセグメントとの集合の周囲に、これらを層状導電体１０６から分離するために配置されている。
【手続補正３】
【補正対象書類名】明細書
【補正対象項目名】００３１
【補正方法】変更
【補正の内容】
【００３１】
本実施形態では、平面伝送線路１０５のセグメントの一端が導電パッチ１０１に接続されている一方で、平面伝送線路１０５のセグメントの他端は第１端子として機能する。また、導波管１１１の一部分の一端が、第５導電層１Ｌ５において、導電拡散板１０８の下で、基板の下面に接続されている一方で、導波管１１１の一部分の他端は広帯域変換器の第２端子として機能する。平面伝送線路１０５の複数のグランドヴィア１０４は、平面伝送線路１０５の電気的特性を改善するように配置されている。広帯域変換器の複数のグランドヴィア１０３および平面伝送線路１０５の複数のグランドヴィア１０４に接続されている５枚の層状導電体１０６は、それぞれ、５つの導電層１Ｌ１〜１Ｌ５のグランドプレーンとして用いられる。
【手続補正４】
【補正対象書類名】明細書
【補正対象項目名】００４８
【補正方法】変更
【補正の内容】
【００４８】
図５Ｃは、図５Ａに示した広帯域変換器の、断面線２Ｃ−２Ｃによる垂直方向の断面図である。図５Ｃは、最上層の導電層２Ｌ１と、中間層の導電層２Ｌ２と、最下層の導電層２Ｌ３と、導電パッチ２０１と、絶縁スリット２０２と、広帯域変換器の複数のグランドヴィア２０３と、平面伝送線路２０５のセグメントと、複数の層状導電体２０６と、２枚の導電拡散板２０８と、２つの分離スリット２０９と、基板材料２１０と、導波管２１１の一部分とを示している。
【手続補正５】
【補正対象書類名】明細書
【補正対象項目名】００５２
【補正方法】変更
【補正の内容】
【００５２】
図５Ａ〜図５Ｅに示した各構成要素は、図１Ａ〜図１Ｇに示したいずれかの構成要素に、その機能的能力で対応する。すなわち、複数の導電層２Ｌ１〜２Ｌ３は、複数の導電層１Ｌ１〜１Ｌ５に対応する。最上層の導電層２Ｌ１は、最上層の導電層１Ｌ１に対応する。最下層の導電層２Ｌ３は、最下層の導電層１Ｌ５に対応する。中間層の導電層２Ｌ２は、中間層の導電層１Ｌ２〜１Ｌ４の１枚に対応する。導電パッチ２０１は、導電パッチ１０１に対応する。絶縁スリット２０２は、絶縁スリット１０２に対応する。広帯域変換器の複数のグランドヴィア２０３は、広帯域変換器の複数のグランドヴィア１０３に対応する。平面伝送線路２０５の複数のグランドヴィア２０４は、平面伝送線路１０５の複数のグランドヴィア１０４に対応する。平面伝送線路２０５のセグメントは、平面伝送線路１０５のセグメントに対応する。最上層の層状導電体２０６は、最上層の層状導電体１０６に対応する。最下層の層状導電体２０６は、最下層の層状導電体１０６に対応する。中間層の層状導電体２０６は、中間層の層状導電体１０６の１枚に対応する。最下層の導電層２Ｌ３の導電拡散板２０８は、導電拡散板１０８に対応する。最下層の導電層２Ｌ３の分離スリット２０９は、最下層の導電層１Ｌ５の分離スリット１０９に対応する。基板材料２１０は、基板材料１１０に対応する。導波管２１１の一部分は、導波管１１１の一部分に対応する。最下層の導電層２Ｌ３の導電拡散板２０８の波型形状２１２は、最下層の導電層１Ｌ５の導電拡散板１０８の波型形状１１２に対応する。
【手続補正６】
【補正対象書類名】明細書
【補正対象項目名】００６３
【補正方法】変更
【補正の内容】
【００６３】
図６Ａ〜図６Ｇは、平面伝送線路３０５および導波管３１１の間の広帯域変換器の、さらに他の実施形態を示している。本実施形態では、基板材料３１０によって絶縁された５枚の導電層３Ｌ１、３Ｌ２、３Ｌ３、３Ｌ４および３Ｌ５を含む基板の中に、広帯域変換器が形成されている。
【手続補正７】
【補正対象書類名】明細書
【補正対象項目名】００９０
【補正方法】変更
【補正の内容】
【００９０】
本実施形態において、広帯域変換器は、平面伝送線路５０５のセグメントの一端に接続された導電パッチ５０１と、導電パッチ５０１および最上層の導電層５Ｌ１に配置された他の導電体の間に配置された絶縁スリット５０２と、広帯域変換器の複数のグランドヴィア５０３と、中間層の導電層５Ｌ２、５Ｌ３および５Ｌ４の、導電パッチ５０１の下方に配置された結合開口５０７と、最下層の導電層５Ｌ５の導電拡散板５０８と、導電拡散板５０８を最下層の導電層５Ｌ５の他の導電体から分離する分離スリット５０９とを用いて形成されている。本実施形態では、平面伝送線路５０５のセグメントの他端が第１端子として機能する。また、導波管５１１の一部分の一端は導電拡散板５０８の下方に配置されており、導波管５１１の一部分の他端は広帯域変換器の第２端子として機能する。平面伝送線路５０５の電気的特性を向上するために、複数のグランドヴィア５０４が平面伝送線路５０５のセグメントに沿って配置されている。
【手続補正８】
【補正対象書類名】明細書
【補正対象項目名】０１１５
【補正方法】変更
【補正の内容】
【０１１５】
図１Ａ〜図１Ｇに示した広帯域変換器が、矩形の導電パッチ１０１と、波型形状１１２を有する１枚の導電拡散板１０８と、最下層の導電層１Ｌ５の１つの矩形の分離スリット１０９と、中間層の導電層１Ｌ２〜１Ｌ４の３枚の矩形の結合開口１０７とを含んでいる一方で、本実施形態の広帯域変換器は、円形の導電パッチ７０１と、２枚の円形の導電拡散板７０８と、最下層の導電層７Ｌ５および中間層の導電層７Ｌ３の２つの円形の分離スリット７０９と、中間層の導電層７Ｌ２および７Ｌ４の２つの円形の結合開口７０７とを含んでいる。また、図１Ａ〜図１Ｇに示した広帯域変換器が、矩形の導波管１１１の一部分を含んでいる一方で、本実施形態による広帯域変換器は、円形の導波管７１１の一部分を含んでいる。
【手続補正９】
【補正対象書類名】明細書
【補正対象項目名】０１１６
【補正方法】変更
【補正の内容】
【０１１６】
言い換えれば、矩形の導電パッチ１０１と、平面伝送線路１０５のセグメントと、絶縁スリット１０２との集合は、円形の導電パッチ７０１と、平面伝送線路７０５のセグメントと、絶縁スリット７０２との集合に置き換えられている。中間層の導電層１Ｌ３の矩形の結合開口１０７は、中間層の導電層７Ｌ３の、波型形状を持たない円形の導電拡散板７０８と、円形の分離スリット７０９との集合に置き換えられている。最下層の導電層１Ｌ５の、矩形の導電拡散板１０８と、矩形の分離スリット１０９との集合は、最下層の導電層７Ｌ５の、波型形状７１２を有する円形の導電拡散板７０８と、円形の分離スリット７０９との集合に置き換えられている。中間層の導電層１Ｌ２および１Ｌ４の矩形の結合開口１０７は、中間層の導電層７Ｌ２および７Ｌ４の円形の結合開口７０７に置き換えられている。矩形の導波管１１１の一部分は、円形の導波管７１１の一部分に置き換えられている。
【手続補正１０】
【補正対象書類名】明細書
【補正対象項目名】０１１８
【補正方法】変更
【補正の内容】
【０１１８】
本実施形態において、広帯域変換器は、平面伝送線路７０５のセグメントの一端に接続された導電パッチ７０１と、導電パッチ７０１および平面伝送線路７０５のセグメントの集合ならびに最上層の導電層７Ｌ１に配置された他の導電体の間に配置された絶縁スリット７０２と、広帯域変換器の複数のグランドヴィア７０３と、中間層の導電層７Ｌ２および７Ｌ４において導電パッチ７０１の下方に配置された２つの結合開口７０７と、導電層７Ｌ３および７Ｌ５に配置された２つの導電拡散板７０８と、導電拡散板７０８を中間層の導電層７Ｌ３および最下層の導電層７Ｌ５に配置された他の導電体から分離する２つの分離スリット７０９とを用いて形成されている。本実施形態では、平面伝送線路７０５のセグメントの他端が第１端子として機能する。また、導波管７１１の一部分の一端は導電拡散板７０８の下方に配置されており、導波管７１１の一部分の他端は広帯域変換器の第２端子として機能する。平面伝送線路７０５の電気的特性を向上するために、平面伝送線路７０５の複数のグランドヴィア７０４が平面伝送線路７０５のセグメントに沿って配置されている。